(57)【要約】【課題】  全体として簡易な構成であって、引戸を閉じるだけで自動的に施錠するとともに解錠操作部材の解錠操作により引戸を引くことなしに鎌部材が自動的に元の解錠状態に復帰する使い勝手のよい引戸用鎌錠を提供する。【解決手段】  戸枠２側に設置されたストライク２１と、引戸３に埋設された錠ケース６内に配置される鎌錠本体４とからなり、前記鎌錠本体４が、前記錠ケース６内に鎌部材７と、トリガー８を配置し、前記トリガー８の錠ケース６からの出没動作に連動させて前記鎌部材７を往復回動させて前記ストライク２１への掛脱を行う引戸用鎌錠１であって、前記トリガー８を施錠位置に保持して前記引戸３が閉じた状態で前記鎌部材７を施錠状態に自動的に保持する保持部材９と、前記保持部材９と前記トリガー８の保持状態を解除して前記鎌部材７を解錠状態にするための解錠操作部材５とを有する。【選択図】図１
2017210726.tif 000002
【特許請求の範囲】
【請求項１】
戸枠側に設置されるストライクと、前記引戸の木口に形成された彫込溝に埋設される錠ケース内に配置される鎌錠本体とからなり、前記鎌錠本体が、前記錠ケース内に往復回転可能に軸着されて先端の掛止部を前記錠ケースのフロントから出没させて前記ストライクに掛脱する鎌部材と、前記錠ケース内に前後方向に往復動可能に且つ先端方向に付勢して配置されて前記引戸の開放時に先端を前記錠ケースのフロントから突出させるとともに前記引戸を閉じた時に前記先端が前記戸枠に当接して前記錠ケース内に没入するトリガーを配置し、前記トリガーの錠ケースからの出没動作に連動させて前記鎌部材を往復回動させて前記ストライクへの掛脱を行う引戸用鎌錠であって、
前記錠ケース内に前記トリガーに交差して往復動可能に且つ先端方向に付勢して配置されるとともにその先端に形成した係止部を前記トリガーに形成された係止部に係脱可能に係止してトリガーを施錠位置に保持して前記引戸が閉じた状態で前記鎌部材を施錠状態に自動的に保持する保持部材と、前記錠ケースの側板に形成した前記保持部材が保持位置においてその側面に形成した係合溝に対応する窓孔に連通して前記引戸の側面に形成した取付口に設置されて内側に前記保持部材の係合溝に係合させた係合突起を突設するとともに前記係合突起を係合した前記保持部材を基端側に移動させてトリガーとの保持状態を解除して前記鎌部材を解錠状態にするための解錠操作部材とを有していることを特徴とする引戸用鎌錠。
【請求項２】
前記鎌部材が回転支持軸と偏心位置で前記トリガーと軸着されて前記トリガーの往復動により前記鎌部材が往復回動することを特徴とする請求項１記載の引戸用鎌錠。
【請求項３】
前記トリガーおよび前記保持部材を先端方向に付勢する手段が前記トリガーおよび保持部材の基端と前記各基端が対向するケースの側板内面との間に介装された前記トリガーまたは保持部材の軸線方向に沿って配置される圧縮コイルバネであることを特徴とする請求項１または２記載の引戸用鎌錠。
【請求項４】
前記解錠操作部材が前記引戸の側面に形成した取付窓に設置された枠体に設けた水平軸に軸支される前記内側に突設して前記保持部材の係合溝に係合する係合突起を移動させる傾動形式の操作板を有していることを特徴とする請求項１，２または３記載の引戸用鎌錠。
【請求項５】
前記解錠操作部材が前記引戸の側面に形成した取付窓に設置された枠体に前記内側に突設して前記保持部材の係合溝に係合する係合突起を移動させるスライド形式の操作板を有していることを特徴とする請求項１，２または３記載の引戸用鎌錠。
【発明の詳細な説明】
【技術分野】
【０００１】
本発明は、例えばトイレ、浴室、各室などの室内或いは室外への出入り口などを開閉する引戸に取付けられる引戸用鎌錠、殊に、引戸を閉じただけで鎌部材が回転して戸枠に設置したストライクに掛合する構成の引戸用鎌錠に関するものである。
【背景技術】
【０００２】
従来、室内または室外への出入り口に設けられる引戸には引戸を閉じたときに引戸の木口に埋設した錠ケースから鎌部材が回動して戸枠に設置したストライクに掛合する鎌錠が用いられており、特に、引戸を閉じると錠ケースから先端を突出させたトリガーが戸枠に当接して錠ケース内へ没入する際に鎌部材を連動させて錠ケースから自動的に突出させて戸枠に設置したストライクに自動的に掛止し、引戸を開けるとトリガーが付勢力により錠ケースから突出して鎌部材が連動することで自動的に掛止部から外れて錠ケース内へ収納されるようにしたものがあり、このような引戸用鎌錠は引戸の開閉に連動して鎌部材が自動的に戸枠に設置したストライクに掛脱するので一々開閉時に例えばサムターンなどの操作により施解錠するタイプの鎌錠に比べてきわめて便利であり、特に、引戸を開けたときには鎌部材が錠ケース内に没入していることから引戸を閉じる際に錠ケースから突出した鎌部材が戸枠に設置したストライクに衝突して鎌部材やストライクが損傷する心配もない。
【０００３】
また、特開平８−８６１３２号公報（特許文献１）には錠ケース内にトリガーバネにより出没自在に嵌装されたトリガーと、該トリガーとの間に形成されたラックとピニオンの変換機構を介して、トリガーの後退により突出され、且つトリガーの突出により後退される鎌部材と、回動突出された鎌部材の係止部を施解錠操作部材の作動により係止して、該鎌部材の後退を阻止し本施錠状態とする係止片とを備え、上記トリガーには係合凹部を形成すると共に、引戸を閉じるときにトリガーが後退位置へきた際に係合凹部へ係合するストッパー部材をバネにより付勢して設けたものが記載されている。
【０００４】
しかしながら、この引戸用鎌錠は、構造が複雑であるとともに解錠時にバネにより付勢して設けたストッパー部材の係合を前記付勢力に抗して解除させる必要があり大きな解除力を要するという問題もある。
【０００５】
そこで、実用新案登録第３０３７７０２号公報（特許文献２）に錠ケース内の錠本体の機構をシンプル化して部品数も少ない構成にした引戸用鎌錠が提示されている。
【０００６】
この公報に提示されている引戸用鎌錠は、図８および図９に示したように、引戸１ａ側部内に設ける錠ケース３ａ内に、先端部が戸枠２ａのストライク４ａへ掛止可能に回動する鎌部材５ａと、戸枠２ａへの当接で後退するトリガー６ａと、その後退で鎌部材５ａを前方へ回動させる作動部材７ａと、一定の基準線Ｌを境に鎌部材５ａを前方または後方へ付勢するねじりコイルバネ８ａとを備え、前記トリガー６ａの後部寄り位置にロック用係止部９ａを設けるとともに、該トリガー６ａが後退位置にある際のロック用係止部９ａに対応する錠ケース３ａの位置に窓孔１０ａを形成し、室内側手掛け部１１ａ前部に、施解錠操作板１２ａの上下の中間寄り部分を横軸１３ａで可回動に軸支し、該操作板１２ａ裏側の上部寄りまたは下部寄り位置に、該施解錠操作板１２ａを押圧時に上記窓孔１０ａからロック用係止部９ａへ係合可能なロック用突片１４ａを突設し、施解錠操作板１２ａ裏側の下部寄りまたは上部寄り位置に縦向き平行状の軸支板１５ａを設け、円筒状部１７ａの周部の対向位置に逆向きの傾斜状長孔１８ａを形成し、側端に室外側手掛け部２９ａ側へ連結可能な角軸１９ａをもつ直・回動変換部材１６ａを、該軸支板１５ａ間に横軸２０ａで回動可能に軸支したものである。
【０００７】
この引戸用鎌錠は比較的部品点数が少ないという利点を有しているが、トリガー６ａに形成したロック用係止部９ａに引戸に設置した施解錠操作板１２ａのロック用突片１４ａを直接係止することで鎌部材５ａを施錠位置に保持するものであり、特に、引戸１ａを閉じる時にロック状態にするには前記施解錠操作板１２ａを手動で操作して前記ロック用突片１４ａをトリガー６ａのロック用係止部９ａに係止し、また、引戸１ａの開放時には施解錠操作板１２ａを手動で解除する必要があり施解錠操作が面倒であるばかりか施解錠操作板１２ａを施錠位置に保持する機構を錠ケース３ａの外部に設ける必要があり、結果として引手部分の構成が複雑になるという問題もあり、更に、引戸１ａを閉じたときに鎌部材５ａは前方または後方へ付勢するねじりコイルバネ８ａにより仮保持されており、引戸１ａを開けるときには鎌部材５ａが施錠状態にある引戸１ａをねじりコイルバネ８ａの付勢力に抗して引いて鎌部材５ａを反転させる必要があり、腕力に乏しい子供や老人などには向かない。
【先行技術文献】
【特許文献】
【０００８】
【特許文献１】特開平８−８６１３２号公報
【特許文献２】実用新案登録第３０３７７０２号公報
【発明の概要】
【発明が解決しようとする課題】
【０００９】
本発明は、前記従来の引戸用鎌錠が有する問題点に鑑みて為されたものであり、引戸の側面に取り付けられる解錠操作部材を含めて全体として部品点数が少なく廉価で且つ故障が少ないことは言うまでもなく、引戸を閉じるだけで自動的にロックするとともに解錠操作部材の解錠操作により引戸を引くことなしに鎌部材が自動的に元の解錠状態に復帰するので子供や老人などのように腕力が劣る者にとって使い勝手のよい引戸用鎌錠を提供することを課題とする。
【課題を解決するための手段】
【００１０】
前記課題を解決するために為された本発明は、戸枠側に設置されるストライクと、前記引戸の木口に形成された彫込溝に埋設される錠ケース内に配置される鎌錠本体とからなり、前記鎌錠本体が、前記錠ケース内に往復回転可能に軸着されて先端の掛止部を前記錠ケースのフロントから出没させて前記ストライクに掛脱する鎌部材と、前記錠ケース内に前後方向に往復動可能に且つ先端方向に付勢して配置されて前記引戸の開放時に先端を前記錠ケースのフロントから突出させるとともに前記引戸を閉じた時に前記先端が前記戸枠に当接して前記錠ケース内に没入するトリガーを配置し、前記トリガーの錠ケースからの出没動作に連動させて前記鎌部材を往復回動させて前記ストライクへの掛脱を行う引戸用鎌錠であって、前記錠ケース内に前記トリガーに交差して往復動可能に且つ先端方向に付勢して配置されるとともにその先端に形成した係止部を前記トリガーに形成された係止部に係脱可能に係止してトリガーを施錠位置に保持して前記引戸が閉じた状態で前記鎌部材を施錠状態に自動的に保持する保持部材と、前記錠ケースの側板に形成した前記保持部材が保持位置においてその側面に形成した係合溝に対応する窓孔に連通して前記引戸の側面に形成した取付口に設置されて内側に前記保持部材の係合溝に係合させた係合突起を突設するとともに前記係合突起を係合した前記保持部材を基端側に移動させてトリガーとの保持状態を解除して前記鎌部材を解錠状態にするための解錠操作部材とを有していることを特徴とする。
【００１１】
また、本発明において、前記鎌部材が回転支持軸と偏心位置で前記トリガーと軸着されて形成したクランク機構を形成し、前記クランク機構を介して前記トリガーの往復動により前記鎌部材が往復回動する構成とすることにより、余分な負荷なくトリガーの往復動を確実に鎌部材の往復回動として伝達することができる。
【００１２】
更に、本発明において、前記トリガーおよび前記保持部材を先端方向に付勢する手段が前記トリガーおよび保持部材の基端と前記各基端が対向するケースの側板内面との間に介装された前記トリガーまたは保持部材の軸線方向に沿って配置される圧縮コイルバネであることにより収容スペースの減少と適切な付勢力を付与することができる。
【００１３】
更にまた、本発明において、前記解錠操作部材が前記引戸の側面に形成した取付窓に設置された枠体に設けた水平軸に軸支される前記内側に突設して前記保持部材の係合溝に係合する係合突起を移動させる傾動形式の操作板、前記解錠操作部材が前記引戸の側面に形成した取付窓に設置された枠体に前記内側に突設して前記保持部材の係合溝に係合する係合突起を移動させるスライド形式の操作板など目的に応じて簡単な構成の操作板を採用することができる。
【発明の効果】
【００１４】
本発明によれば、引戸の側面に取り付けられる解錠操作部材を含めて全体として部品点数が少なく廉価で且つ故障が少ないことは言うまでもなく、引戸を閉じるだけで鎌部材がストライクに掛止して自動的にロックするとともに解錠操作部材の解錠操作により鎌部材が自動的に元の解錠状態に復帰することで従来のように鎌部材がストライクに掛止している状態で引戸を開放することがなく腕力に劣る子供や老人などにも使い勝手のよい引戸用鎌錠を提供することができる。
【図面の簡単な説明】
【００１５】
【図１】本発明の好ましい実施の形態における要部を示す分解斜視図。
【図２】図１に示した実施の形態における要部の解錠状態を示す縦断面図。
【図３】図１に示した実施の形態における要部の施錠状態を示す縦断面図。
【図４】図１に示した実施の形態の引戸に取り付けた状態を示す側面図。
【図５】図４の縦断面図である。
【図６】図５に示した解錠操作部材の作用を示す説明図であり、（ａ）は施錠時を示し、（ｂ）は解錠時を示す。
【図７】本発明における異なる形状の解錠操作部材の作用を示す説明図であり、（ａ）は施錠時を示し、（ｂ）は解錠時を示す。
【図８】従来例を示す縦断面図。
【図９】従来例を示す異なる方向からの縦断面図。
【発明を実施するための形態】
【００１６】
次に本発明を図面に示す好ましい実施の形態に基いて詳細に説明する。
【００１７】
図１乃至図５は本発明の好ましい実施の形態における引戸用鎌錠１の要部を示すものであり、引戸用鎌錠１は主として戸枠２側に設置されるストライク２１と、引戸３側に取り付けられた鎌錠本体４および開錠操作部材５とからなる。
【００１８】
そして、鎌錠本体４は、前記引戸３の木口３１に形成された彫込溝３２にフロント６１を面一にして埋設されて止めネジ４１，４１により固着される全体が函形の錠ケース６内に配置されており、側板６４，６４間に軸支した軸７１により往復回転可能に且つ先端の掛止部７２を錠ケース６のフロント６１に形成した溝孔６２から出没させて戸枠２に設置して止めネジ４２，４２により固着されたストライク２１に掛脱する鎌部材７と、前後方向に往復動可能に且つ先端方向に付勢して配置されて前記引戸３の開放時には先端８１を前記錠ケース６のフロント６１に形成した溝孔６３から突出させるとともに前記引戸３を閉じた時に前記先端８１が前記戸枠２に当接して前記錠ケース６内に没入するトリガー８と、前記トリガー８に交差して往復動可能に且つ先端方向に付勢して配置されるとともにその先端に形成した係止部９１を前記トリガー８の底面８２に形成された凹状の係止部８３に係脱可能に係止してトリガー８を施錠位置に保持して前記引戸３が閉じた状態で前記トリガー８を所定の施錠位置で保持する凸状の係止部９１を有して前記ストライク２１に掛止させた鎌部材７を施錠状態に自動的に保持する保持部材９とを有している。尚、本実施の形態では組み立てならびに修理や保守を容易にするため錠ケース６は一方の側板６４が開閉可能で止めネジ４３，４３により固着される構造となっている。
【００１９】
更に、詳細に説明すると、前記トリガー８は両側面８４，８４にそれぞれ軸線方向に距離を隔てて並設した係止突起８５・・８５を錠ケース６の両側板６４，６４に対向して形成した前後方向に所定の長さを有するスライド溝６５・・６５にそれぞれスライド可能に嵌装することにより前記先端８１をフロント６１の溝孔６３から出没可能に配置されているとともに基端８６と前記錠ケース６の後側板内面６７との間に配置した圧縮コイルバネ８７により先端方向に付勢されて引戸３の開放時にはフロント６１から所定の長さだけ突出した状態に設置される。
【００２０】
更にまた、トリガー８の一方の側面８４から底面８２の軸線までに掛けて形成された凹部８８には前記鎌部材７の軸着部と偏心位置において軸７３により軸着されて所謂クランク機構が形成されており、前記トリガー８の軸線方向の往復動に連動して鎌部材７が軸７１を中心として往復回動する構成であり、本実施の形態では、図２に示す引戸３が開放状態ではトリガー８の先端がフロント６１から突出した状態で鎌部材７が錠ケース６内に収容されており、図３に示す引戸３を閉じた状態ではトリガー８の先端８１が戸枠２に当接して基端方向に移動して錠ケース６内に没入する動作に連動して鎌部材７が回動して先端の掛止部７２を戸枠２に設置したストライク２１に掛止する構成である。
【００２１】
加えて、前記保持部材９は全体が角柱状で錠ケース６の側板６４，６４に内接する横幅を有するとともに錠ケース６を形成する一方の側板６４の内面に立設された支持板６６と前記錠ケース６の後側板内面６７とに軸線方向（図示する上下方向）に往復動可能に配置されているとともに基端面９２と錠ケース６を形成する一方の側板６４の内面に立設された支持板６８との間に介装された圧縮コイルバネ９３により先端方向に付勢されており、引戸３の開放時には先端の係止部９１をトリガー８の底面８２に押圧スライドさせており、施錠時にトリガー８の底面８２に形成した係止部８３が前記係止部９１位置に移動したときに係止してトリガーを施錠位置に保持して鎌部材７を施錠状態に自動的に保持するものである。尚、保持部材９はトリガー８に交差して配置されて先端の係止部９１をトリガー８の係止部８３に係止して軸線方向の動きを止めるだけであり、トリガー８を付勢する圧縮コイルバネ８７に比べて少ない付勢力でよく、解除も容易である。
【００２２】
また、保持部材９には胴部位置に幅方向の側面９４，９４に係合孔９５が形成されているともに錠ケース６の側板６４，６４に前記係合孔９５が少なくとも軸線方向へ往復動する距離に渡って露出可能な窓孔７０，７０が形成されているとともに引戸３の側面３３には前記窓孔７０，７０に連通して前記解錠操作部材５の取付窓３４が形成されている。
【００２３】
図４乃至図６は本実施の形態に使用する解錠操作部材５の好ましい実施の形態を示すものであり、解錠操作部材５は、引戸３の内側および外側の側面３３，３３にそれぞれ形成した取付窓３４，３４に止めネジ４４，４４によりそれぞれ設置され、枠体５１に形成した窓孔５２に操作板５３が平行軸５４により回動可能に支持されているとともに前記操作板５３の内側に錠ケース６の窓孔７０，７０に連通して露出している前記保持部材９の係合孔９５に係合する係合突起５５が突設されている。
【００２４】
本実施の形態では前記係合突起５５は側面が水平な底面を有する三角形状であることが好ましく、前記保持部材９が保持位置にあるとき、保持部材９がトリガー８に係止している状態で前記水平な底面を水平位置として前記係合孔９５に底面を水平状態で保持できるように配置されることにより前記引戸用鎌錠１が施錠状態で保持部材９が図示する上方に移動してトリガー８に係止されている状態で操作板５３が枠体５１に沿って配置されており、鎖線で示すように前記操作板５３の図示する上部を内側に向かって押すことにより操作板５３は平行軸５４を軸として回動し、係合突起５５が保持部材９を圧縮コイルバネ９３の付勢力に抗して基端方向（図示下方）にスライドされて先端の係止部９１とトリガー８の係止部８３との係合が解除される。
【００２５】
尚、本実施の形態では解錠操作部材５が操作板５３を下端に配置した平行軸５４において傾動可能な構成としたのでてこの原理により少ない押圧力で解除操作が可能であるが、操作板５３の中央位置で平行軸５４により回動可能に軸支してもよく、この場合には全体の高さを短くすることができるとともに操作板５３の押す位置がわかりやすいという利点、更に操作板５３を押圧したときに指で押した枠体５１に凹みが生じるのでそのままの状態で枠体５１を引手として引戸３を開放することができる（図示せず）。
【００２６】
尚、本実施の形態では操作板５３を回動させる構成としたので、本発明ではサムターンのように摘みを回転させる必要がなく、前記保持部材９の係合孔９５に係合させた係合突起５５を突設させた操作板５３を下方に移動させて保持部材９とトリガー８との係止状態を解除させればよく、操作板５３を上下方向にスライドさせる構成（図示せず）としてもよい。
【００２７】
また、図７は解錠操作部材５の異なる実施の形態についての概略を示すものであり、前記図４乃至図６に示した実施の形態と異なり、操作板５３の上下方向の中央位置に平行軸５４において傾動可能な操作板５３が配置されたものであり、前記図４乃至図６に示した実施の形態と異なり少ない押圧距離で解錠することができる。
【００２８】
以上の構成を有する本実施の形態は、図２に示した引戸３の開放状態ではトリガー８は圧縮コイルバネ８７の先端方向への付勢力により先端８１を錠ケース６のフロント６１に形成される溝孔６２から突出させた状態にあり、トリガー８に連結されている鎌部材７が錠ケース６内に収容されているので、そのまま引戸３を閉じたとしても従来のトリガーを備えた鎌錠と同様に鎌部材７が戸枠２に設置したストライク２１に衝突して損傷したり、引戸３が跳ね返って怪我をする等の心配はない。
【００２９】
そして、更に、引戸３を閉じるとトリガー８の先端８１は戸枠２に当接して圧縮コイルバネ８７の付勢力に抗して基端方向にスライドして錠ケース６内に収容されるが同時に鎌部材７が回転して枠体２に設置されたストライク２１に掛止される。このとき、トリガー８に接していた保持部材９の係止部９１がトリガー８の係止部８３に係止されてトリガー８が固定されるので鎌部材７が施錠状態で自動的にロックされる。
【００３０】
このとき、本実施の形態では保持部材９の係合孔９５に係合している係合突起５５が上方に押し上げられて解錠操作部材５の操作板５３を施錠位置に保持する。
【００３１】
そして、前記施錠状態にある本実施の形態である引戸用鎌錠１を解除して引戸３を開けるには、先ず、前記解錠操作部材５の操作板５３を押すとトリガー８と保持部材９との係止状態が解除されてトリガー８に備えた圧縮コイルバネ８７の付勢力により自動的に鎌部材７が回動してストライク２１との掛止を解除するので従来のように引戸３を開ける際に掛止状態にある鎌部材の掛止を解除する力を付加して引戸を引くことを要しないばかりかトリガー８に備えた圧縮コイルバネ８７の付勢力によりトリガー８が戸枠２を押すことで引戸３に開き方向の力が加わることと相俟って少ない労力で引戸３を開放することができる。
【００３２】
このように本実施の形態によると引戸３を閉じるだけの簡単な操作で自動的にロック状態となり、解除操作部材５を含めて複雑な構成を必要とせず、解錠には解錠操作部材５を操作して少ない付勢力でトリガーに係止している保持部材９を基端側に引くだけでよく、きわめて少ない力で解錠操作部材５を操作すればよく、力の弱い子供や老人などでもきわめて簡単に操作することができるものである。
【符号の説明】
【００３３】
１  引戸用鎌錠、２  戸枠、３  引戸、４  鎌錠本体、５  開錠操作部材、６  錠ケース、７  鎌部材、８  トリガー、９  保持部材、２１  ストライク、３１  木口、３２  彫込溝、３３  側面、３４  取付窓、４１  止めネジ、４２  止めネジ、４３  固定ネジ、４４  止めネジ、５１  枠体、５２  窓孔、５３  操作板、５４  平行軸、５５  係合突起、６１  フロント、６２  溝孔、６３  溝孔、６４  側板、６５  スライド溝、６６  支持板、６７  後側板内面、６８  支持板、７０  窓孔、７１  軸、７２  掛止部、７３  軸、８１  先端、８２  底面、８３  係止部、８４  側面、８５  係止突起、８６  基端、８７  圧縮コイルバネ、８８  凹部、９１  係止部、９２  基端面、９３  圧縮コイルバネ、９４  側面、９５  係合溝
【図１】
2017210726.tif 000003
【図２】
2017210726.tif 000004
【図３】
2017210726.tif 000005
【図４】
2017210726.tif 000006
【図５】
2017210726.tif 000007
【図６】
2017210726.tif 000008
【図７】
2017210726.tif 000009
【図８】
2017210726.tif 000010
【図９】
2017210726.tif 000011